(57)【要約】【課題】見切り基材と見切り本体材と見切りカバー板材を軒天井板の内端部に付設する際の取り付け時間を短縮できる軒天見切り構造体を提供する。【解決手段】この軒天見切り構造体１では、見切り基材１１は、上面部１２と下面部１３と上下連結面部１４とを有し、見切り本体材２１は、下面部２２と上下延在面部２３を有し、見切り基材１１に嵌合挿着により組み付けてスライド可能に結合し、更に上下延在面部２３に横凹溝部２６を設けるとともに横凹溝部２６の上端部の口部近傍に下方に突出する突出部２７を付設しており、見切りカバー板材３１は、上面部３２と上下延在面部３３を有し、上下延在面部３３には圧入部３４を複数箇所に有し、圧入部３４を横凹溝部２６の上部内へ強制的に圧入して突出部２７の内側に係止することで、見切り本体材２１に結合する。【選択図】図１
2019060183.tif 000002
【特許請求の範囲】
【請求項１】
見切り基材、見切り本体材及び見切りカバー板材を有してなり、これらを結合した軒天見切り構造体であって、
前記見切り基材は、水平に延びる上面部と該上面部より短く水平に延びる下面部と上下面部を連結する上下連結面部とを有し、
前記見切り本体材は、前記見切り基材の下面部を内包可能に該下面部に沿って延びる下面部と、前記見切り基材の上下連結面部にほぼ沿って延びる上下延在面部を有し、前記見切り基材に嵌合挿着により組み付けてスライド可能に結合し、更に該上下延在面部に横凹溝部を設けるとともに該横凹溝部の上端部の口部近傍に下方に突出する突出部を付設しており、
前記見切りカバー板材は、水平に延びる上面部と該上面部から連設される上下延在面部を有し、該上下延在面部には圧入部を複数箇所に有し、該圧入部を前記横凹溝部の上部内へ強制的に圧入して前記突出部の内側に係止することで、前記見切り本体材に結合することを特徴とする軒天見切り構造体。
【請求項２】
請求項１に記載の軒天見切り構造体を用いた建物の施工方法であって、
前記見切り基材の前記上面部と野縁部との間に前記見切りカバー板材の前記上面部を挟むようにして、前記見切り基材の前記上面部を前記野縁部に取り付け固定することを特徴とする建物の施工方法。
【発明の詳細な説明】
【技術分野】
【０００１】
本発明は、軒天井板の内端部（外壁隣接端部）に付設する軒天見切り構造体及びそれを用いた建物の施工方法に関するものである。
【背景技術】
【０００２】
周知のように従来の軒天見切り構造体は、基本的には、軒天井板の内端部を被覆可能なフック形（コの字形）の見切り基材とアングル形（Ｌ字形）の見切り本体材とを組み付けた構造からなっている(例えば、特許文献１参照)。見切り基材は、水平に延びる上面部と上面部より短く水平に延びる下面部及び上下面部を連結する上下連結面部を有し、かつ上下連結面部の上部に山形の係止突条部を付設したものである。見切り本体材は、見切り基材の下面部を内包可能に該下面部に沿って延びる下面部と、見切り基材の上下連結面部にほぼ沿って延びるとともに上端部に見切り基材の上下連結面部の係止突条部に掛け止め可能な鉤条部を付設した上下延在面部を有するものであり、見切り基材の下面部と係止突条部の付設部までの上下連結面部を内包可能である。見切り基材と見切り本体材の組み付けは、嵌合挿着によって、後者が前者の下面部と係止突条部の付設部までの上下連結面部を被覆するようにしている。この組み付けたものを現場において建物の軒裏部の野縁部に、見切り基材の上面部の釘等を用いた固定によって取り付ける形で使用している。
【０００３】
また、近年においては、耐火性アップ等の要請から、嵌合挿着により組み付けた見切り基材の上面部と見切り本体材の上下延在面部を、両者に沿って延在可能な上面部と上下延在面部を有するアングル形の薄鉄鋼板製の見切りカバー板材により被覆することが行われている。この被覆状態は、現場において、見切り基材の上面部と野縁部との間に見切りカバー板材の上面部を挟むようにして、見切り基材の上面部を野縁部に釘等で取り付け固定する。
【先行技術文献】
【特許文献】
【０００４】
【特許文献１】特開２００１−３２４７７号公報
【発明の概要】
【発明が解決しようとする課題】
【０００５】
しかし、この見切り基材の野縁部に対する固定の際には、見切り基材と見切り本体材の間の横方向（長手方向）における相互の位置の調整に加えて、見切り本体材と見切りカバー板材の間の横方向における相互の位置を調整しながら行う必要があるため、取り付けに時間がかかるという問題がある。
【０００６】
本発明は、係る事由に鑑みてなされたものであり、その目的は、見切り基材と見切り本体材と見切りカバー板材を軒天井板の内端部に付設する際の取り付け時間を短縮できる軒天見切り構造体及びそれを用いた建物の施工方法を提供することにある。
【課題を解決するための手段】
【０００７】
上記目的を達成するために、請求項１に記載の軒天見切り構造体は、見切り基材、見切り本体材及び見切りカバー板材を有してなり、これらを結合した軒天見切り構造体であって、前記見切り基材は、水平に延びる上面部と該上面部より短く水平に延びる下面部と上下面部を連結する上下連結面部とを有し、前記見切り本体材は、前記見切り基材の下面部を内包可能に該下面部に沿って延びる下面部と、前記見切り基材の上下連結面部にほぼ沿って延びる上下延在面部を有し、前記見切り基材に嵌合挿着により組み付けてスライド可能に結合し、更に該上下延在面部に横凹溝部を設けるとともに該横凹溝部の上端部の口部近傍に下方に突出する突出部を付設しており、前記見切りカバー板材は、水平に延びる上面部と該上面部から連設される上下延在面部を有し、該上下延在面部には圧入部を複数箇所に有し、該圧入部を前記横凹溝部の上部内へ強制的に圧入して前記突出部の内側に係止することで、前記見切り本体材に結合することを特徴とする。
【０００８】
請求項２に記載の建物の施工方法は、請求項１に記載の軒天見切り構造体を用いた建物の施工方法であって、前記見切り基材の前記上面部と野縁部との間に前記見切りカバー板材の前記上面部を挟むようにして、前記見切り基材の前記上面部を前記野縁部に取り付け固定することを特徴とする。
【発明の効果】
【０００９】
本発明の軒天見切り構造体又は本発明の建物の施工方法によれば、見切り基材と見切り本体材と見切りカバー板材を軒天井板の内端部に付設する際の取り付け時間を短縮できる。
【図面の簡単な説明】
【００１０】
【図１】本発明の実施形態に係る軒天見切り構造体を示す正面図である。
【図２】同上の軒天見切り構造体の圧入部近傍を示す右側面図であって、（ａ）が圧入部の圧入前の状態、（ｂ）が圧入部の圧入後の状態である。
【図３】同上の軒天見切り構造体の圧入部近傍の見切りカバー板材と見切り本体材を拡大して示す正面視断面図であって、（ａ）が圧入部の圧入前の状態、（ｂ）が圧入部の圧入後の状態である。
【図４】同上の軒天見切り構造体の取り付け状態を示す正面図である。
【発明を実施するための形態】
【００１１】
本発明を実施するための形態を、図面に基づいて以下説明する。本発明の実施形態に係る軒天見切り構造体１は、図１に示すように、見切り基材１１、見切り本体材２１、及び見切りカバー板材３１を有してなり、これらを結合したものである。
【００１２】
見切り基材１１は、アルミニウム等からなる型材である。見切り基材１１は、従来のものと同様、水平に延びる上面部１２と、上面部より短く水平に延びる下面部１３と、上下面部１２、１３を連結する上下連結面部１４を有し、上下連結面部１４の上部に山形の係止突条部１６を付設している。また、下面部１３の内部の先端部には、支持台部１５を有している。
【００１３】
見切り本体材２１は、アルミニウム等からなる型材である。見切り本体材２１は、基本構造として、見切り基材１１の下面部１３を内包可能に該下面部１３に沿って延びる下面部２２と、見切り基材１１の上下連結面部１４にほぼ沿って延びる上下延在面部２３を有する。
【００１４】
見切り本体材２１は、見切り基材１１との結合のため、従来のものと同様、下面部２２の先端部内に横方向（長手方向）（図１においては紙面に対し直交方向）に延びる横凹部２４を有するとともに、上下延在面部２３の上部に横方向に延びる鉤条部２５を有する。見切り本体材２１は、横凹部２４に見切り基材１１の下面部１３の先端部を嵌合挿着させ、鉤条部２５を見切り基材１１の係止突条部１６に掛け止めて、見切り基材１１の下面部１３と上下連結面部１４の係止突条部１６までの部分を被覆する状態で見切り基材１１に組み付ける。これにより、見切り本体材２１と見切り基材１１とは横方向にスライド可能に結合した状態になる。
【００１５】
見切り本体材２１は、更には、後述する見切りカバー板材３１との結合のため、鉤条部２５の下方部に、上下延在面部２３の下半部の実質部を占める横方向に延びる横凹溝部２６を設けるとともに、横凹溝部２６の上端部の口部近傍に下方に突出する突出部２７を付設し、かつ横凹溝部２６の下端部の口部に、閉口壁部２８を立設した構造になっている。
【００１６】
見切りカバー板材３１は、例えば厚さが０．５ｍｍ前後の薄い鉄板や鋼板等の板材である。見切りカバー板材３１は、水平に延びる上面部３２と上面部３２から連設される上下延在面部３３を有する。上下延在面部３３は、上辺と左右辺の切れ込みによって形成された方形で舌状の圧入部３４を複数個所に有する（図２（ａ）、図３（ａ）参照）。見切りカバー板材３１は、上下延在面部３３の下端部が見切り本体材２１の横方向に延びる横凹溝部２６の下端部とこれに隣接する閉口壁部２８に当接する状態で見切り本体材２１に組み付ける。これにより上下延在面部３３が見切り本体材２１の横凹溝部２６の口部を閉鎖して、横凹溝部２６を被覆する。この組み付け状態において、見切りカバー板材３１と見切り本体材２１との間の横方向における相互の位置を調整した後、横凹溝部２６の上部に対向する見切りカバー板材３１の圧入部３４を、横凹溝部２６内に向かってハンマー等による打撃により強制的に圧入する。そうすると、圧入部３４は、その先端（上端）が変形しながら、突出部２７を乗り越えて突出部２７の内側に係止する（図２（ｂ）、図３（ｂ）参照）。これにより、簡便に、見切りカバー板材３１と見切り本体材２１を、それらの間の横方向における相互の位置を固定して、結合した形にすることができる。
【００１７】
こうして、見切り基材１１、見切り本体材２１及び見切りカバー板材３１を結合した軒天見切り構造体１は、この状態で現場の建物の軒裏部に持込み、図４に示すように、見切り基材１１と見切り本体材２１の間の横方向における相互の位置を調整しながら、見切り基材１１の上面部１２と野縁部４２との間に見切りカバー板材３１の上面部３２を挟むようにして、見切り基材１１の上面部１２を野縁部４２に釘等で取り付け固定する。このように施工することにより、見切り基材１１と見切り本体材２１と見切りカバー板材３１を軒天井板４１の内端部に付設する際の取り付け時間を短縮でき、しかも安価に実現できる。また、軒天井板４１の内端部は、見切り基材１１の上面部１２と下面部１３の支持台部１５の間に装着する。
【００１８】
以上、本発明の実施形態に係る軒天見切り構造体及びそれを用いた建物の施工方法について説明したが、本発明は、実施形態に記載したものに限られることなく、特許請求の範囲に記載した事項の範囲内でのさまざまな設計変更が可能である。
【符号の説明】
【００１９】
１    軒天見切り構造体
１１  見切り基材
１２  上面部
１３  下面部
１４  上下連結面部
１５  支持台部
１６  係止突条部
２１  見切り本体材
２２  下面部
２３  上下延在面部
２４  横凹部
２５  鉤条部
２６  横凹溝部
２７  突出部
２８  閉口壁部
３１  見切りカバー板材
３２  上面部
３３  上下延在面部
３４  圧入部
４１  軒天井板
４２  野縁部
【図１】
2019060183.tif 000003
【図２】
2019060183.tif 000004
【図３】
2019060183.tif 000005
【図４】
2019060183.tif 000006